(57)【特許請求の範囲】
【請求項１】
火災を検知する検知部を収納する本体部と、該本体部に設けられて発報状態となったときに発光する発光部を有し、取付面に取り付けられて火災を感知する火災感知器であって、
前記本体部は取付状態において下端が開口する有底筒状の筐体を有し、
該筐体を収容する筒状部と、該筒状部の周縁に外向きのフランジ部を有し、前記本体部を取付面に埋め込み式で取り付けるベースをさらに有し、
前記発光部は、前記筐体の開口部の周縁部にリング状に設けられ、リングの内側かつ斜め上方に向かって傾斜する傾斜面部を備えてなることを特徴とする火災感知器。
【請求項２】
前記本体部から延出して温度を感知するサーミスタが設けられていることを特徴とする請求項１に記載の火災感知器。
【発明の詳細な説明】
【技術分野】
【０００１】
本発明は、天井面等に取り付けられる火災感知器に関し、特に発報状態となった動作状態を確認するために発光する発光部を有する火災感知器に関する。
なお、本明細書、特許請求の範囲において、方向を示す「上」「下」と言うときは、取付面が建築物等の天井面であった場合において、天井面側を「上」、床側を「下」と表記している。
【背景技術】
【０００２】
火災感知器には、発報状態となったときの動作状況を表示する確認灯が設けられている。この確認灯は、天井面等に複数設けられている火災感知器のうち発報している火災感知器を特定するため、あるいは加煙試験や加熱試験などの動作試験の際の動作確認のために用いられる。このような確認灯は、外部からの視認性に優れるものが求められる。
【０００３】
視認性を向上させた確認灯を有する火災感知器として、例えば特許文献１には、表示灯を、筐体の頭頂部を通る中心線をほぼ中心として、前記中心線の周りに所定の形状、例えば環状、盤状、筒状、あるいは円に沿うように連続的かつ規則的に形成されたパターンを有する形状に形成したものが提案されている（特許文献１の請求項１、２参照）。
【先行技術文献】
【特許文献】
【０００４】
【特許文献１】特開２００１−１４５７０号公報
【発明の概要】
【発明が解決しようとする課題】
【０００５】
一般に火災感知器は、特許文献１に開示されたものを含め、天井面に取り付けた状態で、火災感知器の外形が下方に向かって縮径する、略円錐台あるいはドーム型をしている。
このような形状を前提として、特許文献１に開示の火災感知器は、外周面に例えば環状に表示灯（確認灯）を設けるようにしている。
【０００６】
火災感知器は、火災時における物理量、例えば煙濃度を検知して、確実に作動する必要があり、そのため上述したように、天井面から下方に突出して外周面が露出するような形状になっている。また、確認灯（表示灯）についても、特許文献１のように視認性を向上させるために、火災感知器の外周面全体に亘って環状に形成しているものもある。
【０００７】
近年、建築物や室内空間をスタイリッシュにして意匠性を向上させることが求められており、天井面等に取り付けられる火災感知器は、火災時には確実に機能することが求められるが、通常時は目立たない方がよい。また、目立たないようにすることができなくとも、出来るだけ機能性のみからの形状ではなく、室内空間とマッチングするような意匠的に優れた形状にすることが望まれる。
さらに、確認灯についても、発報状態でないときには目立たず、発報状態となったときには視認性に優れるというものが求められる。
【０００８】
しかしながら、従来の火災感知器は、機能のみを重視する傾向があり、特許文献１のもののように、火災感知器自体および確認灯を目立たせるという考えであり、スタイリッシュな室内空間にマッチングすることが難しいものであった。
【０００９】
本発明はかかる課題を解決するためになされたものであり、火災感知器自体の意匠性を向上させることが可能で、その発報状態の視認性と意匠性の向上を両立できる火災感知器を提供することを目的としている。
【課題を解決するための手段】
【００１０】
（１）本発明に係る火災感知器は、取付面に取り付けられて火災を感知する火災感知器であって、火災を検知する検知部を収納する本体部と、該本体部に設けられて発報状態となったときに発光する発光部を有し、
前記本体部は筒状部を有する筐体を備え、前記本体部の下端面が上方に向かって凹陥してなり、前記発光部は凹陥した部位の周縁にリング状に設けられていることを特徴とするものである。
【００１１】
（２）また、上記（１）に記載のものにおいて、リング状に設けられた前記発光部は、リングの内側かつ斜め上方に向かって傾斜する傾斜面部を備えてなることを特徴とするものである。
【００１２】
（３）また、上記（１）又は（２）に記載のものにおいて、前記本体部を取付面に取り付けるベースを有し、該ベースは前記筐体を収容する筒状部と、該筒状部の周縁に外向きのフランジ部を有し、前記取付面に設けた穴部に前記本体部を埋め込み式で取り付けられるようにしたことを特徴とするものである。
【００１３】
（４）また、上記（１）乃至（３）のいずれかに記載のものにおいて、前記本体部の凹陥した部位から延出して温度を感知するサーミスタが設けられていることを特徴とするものである。
【発明の効果】
【００１４】
本発明に係る火災感知器は、火災を検知する検知部を収納する本体部と、該本体部に設けられて発報状態となったときに発光する発光部を有し、前記本体部は筒状部を有する筐体を備え、該本体部の下端面が上方に向かって凹陥してなり、前記発光部は凹陥した部位の周縁にリング状に設けられていることにより、発報状態の視認性と意匠性の向上を両立することができる。
【図面の簡単な説明】
【００１５】
【図１】本発明の一実施の形態に係る火災感知器の取付状態の斜視図である。
【図２】図１に示した火災感知器の取付状態における側面図である。
【図３】図１に示した火災感知器の取付状態における断面図である。
【図４】本発明の他の実施の形態に係る火災感知器の取付状態の斜視図である。
【図５】図４に示した火災感知器の取付状態における側面図である。
【図６】図４に示した火災感知器の取付状態における断面図である。
【発明を実施するための形態】
【００１６】
［実施の形態１］
本実施の形態に係る火災感知器１は、図１〜図３に示すように、室内の天井面等の取付面３に取り付けられて火災を感知する火災感知器１であって、火災を検知する検知部（図示なし）を収納する本体部４と、本体部４の外形を形成し、各機器類を収納する筐体５と、筐体５内に設けられ、火災を検知して発報状態となったときに発光する発光部と、筐体５を取付面３に取り付けるためのベース７を有している。なお、本発明の発光部は、後述するように、発光素子１１と、ライトガイド１３におけるリング状に光る部分によって構成されている。
【００１７】
筐体５は底部５ａと筒状部５ｂとなからなる有底円筒体からなり、天井面に取り付けた状態においては、底部５ａが上側で開口部が下側となる。
筐体５内には各種の電気部品が実装される回路基板９と、回路基板９に取り付けられて火災を検知する検知部（図示なし）が設けられ、回路基板９には発報状態となったときに発光する発光素子１１が設けられている（図３参照）。
なお、筐体５内において発光素子１１が発光するため、筐体５の周面から光が透過するのを防止するため、筐体５を不透光部材で形成するのが好ましい。もっとも、本実施の形態のように、筐体５がベース７で覆われる場合には、ベース７を不透光部材で形成するようにしてもよい。
【００１８】
回路基板９は、筐体５内において、開口部近くに配置され、回路基板９の外側面の左右対称位置に２個の発光素子１１（図３参照）が設けられており、発光素子１１は火災感知器１の設置状態において下方を向くように配置されている。なお、発光素子１１の数は２個に限られず、ライトガイド１３におけるリング状に光る部分が十分に視認出来る程度に光れば、何個でも良い。
また、発光素子１１を収容する凹陥部１３ａを有する有底の円筒体からなるライトガイド１３が、筐体５の開口部の全面を覆うように設けられている。
【００１９】
ライトガイド１３の底部の周縁部、すなわち筐体５の開口部の周縁部に配置されるリング状の部位は、図３に示すように、リングの内側で、かつ上側（設置状態における上側）に向かって傾斜する傾斜面部１３ｂになっている。そして、ライトガイド１３における傾斜面部１３ｂの内側には、遮光性のある円板からなるカバー体１５が設けられている。
火災感知器１を下部側から見ると、本体部４の下端面の周縁部には傾斜面部１３ｂからなるリング状のライトガイド１３が配置され、一段凹んだ面部にカバー体１５が配置されている。つまり、本体部４は、その下端面が上方に向かって凹陥した形状となっており、この凹陥した部位の周縁にライトガイド１３の光る部分（発光部）が配置されている。
【００２０】
図３に示すように、発光素子１１がライトガイド１３の凹陥部１３ａに近接して配置され、発光素子１１の光が直接ライトガイド１３に入光するので、光の損失が少ない。また、ライトガイド１３が基板を保持する基板保持部を兼用している。
回路基板９とライトガイド１３を一体化した状態で、発光素子１１が発光すると、その光がライトガイド１３に導光され、リング状の傾斜面部１３ｂが光る。発光素子１１と、ライトガイド１３におけるリング状に光る部分が本発明の発光部に相当する。
【００２１】
本体部４の下端面の凹陥した部位の中央には、下方に向かって延出して温度を検知するサーミスタ１７が設けられている。サーミスタ１７で火災による熱が感知され、検知部によって火災感知がされて発報すると発光素子１１が点灯する。
【００２２】
＜ベース＞
ベース７は、筐体５を取付面３に取り付けるための部材であり、底部７ａと筒状部７ｂとを有する有底円筒体であり、開口部には外向きのフランジ部７ｃが形成されている。
筐体５を筒状部７ｂに収容した状態で、取付面３に設けた穴部にベース７を挿入して、穴縁にフランジを固定することで、筐体５を取付面３に埋め込み状態で設置できる。
【００２３】
以上のように構成された本実施の形態の火災感知器１を、天井面に取り付けた状態では、天井面から下方に突出するのは、フランジ部７ｃの厚み部分と、サーミスタ１７のみである。そのため、火災感知器という本来的には目立たない方がよい機能部品が目立つことなく設置できる。
また、設置状態において、発光部を構成するライトガイド１３の傾斜面部１３ｂは、本体部４における上方に向かって凹陥する部位の周縁にリング状に設けられているので、ほとんど目立たない。特に、凹陥している周縁部は影になる部位でもあることから、より一層目立たない。そのため、確認灯が外部に露出している従来例のように外観を損ねることがない。
【００２４】
他方、発報状態となって発光素子１１が光ると、ライトガイド１３に導光されて、リング状の傾斜面部１３ｂが光る。このとき通常状態では暗い部分が光るため、通常状態と違った状態になっていることが一目で分かり、発報状態であることが容易に確認できる。特に、本実施の形態では、ライトガイド１３がリング状になっているので、３６０°いずれの方向からでも視認することができ、さらに傾斜面になっていることから、リング状の傾斜面部１３ｂのうち奥側の傾斜面がよく見えるため、視認性がさらに向上している。
このように、本実施の形態の火災感知器１は発報状態の視認性と意匠性の両方の向上を実現している。
【００２５】
［実施の形態２］
実施の形態１の火災感知器１は、開口縁部に外向きフランジを設けた有底枠状のベース７を備え、これによって取付面３に埋め込み型として設置できるものであった。
これに対して、本実施の形態の火災感知器１９は、図４〜図６に示すように、筐体５の上端側に円柱状のベース２１を有し、ベース２１によって取付面３に露出型として設置するものである。
ベース２１以外の構成部品は、実施の形態１と同一であり、図４〜図６において、火災感知器１９を構成する各部の符号と名称に関し、ベース２１以外は実施の形態１と同一にしている。
【００２６】
本実施の形態の火災感知器１９は、図４〜図６に示すように、取付面３から突出して取り付けられるため、実施の形態１と比較すると、火災感知器１９自体が外部から見えやすくなっている。
しかしながら、筐体５の形状が筒形状で下端部が取付面３側に凹陥しており、機能部分が本体部４の凹陥した部位に設けられるので、機能部分が大きく露出する従来形状と比較すると、斬新で意匠性に優れる。
また、発光部は、実施の形態１と同様に筐体５の周縁部から凹陥する部位に設けられ、通常時は暗い部分であるため、実施の形態１と同様に通常時は見えにくく発光した際の視認性に優れるという効果を奏している。
【００２７】
なお、上記の実施の形態１，２においては、火災感知器の例としてサーミスタ１７を設けた熱感知器を例示したが、本発明の火災感知器はこれに限られるものではなく、煙を検知して火災を感知する煙感知器、炎の波長を検出して火災を感知する炎感知器等の火災感知器、及び燃焼生成物（ＣＯ，ＣＯ２等）や、ガス濃度を検出して火災を検知する火災感知器も含む。
また、ライトガイド１３における傾斜面部１３ｂは、リング状になっているが、このリングは途中で途切れることなく連続するものであってもよいが、本発明はリングが途中で切れて不連続な状態になっているものも含む。
さらに、筐体５が円筒形状のものであったが、円筒に限らず角筒状のもの、例えば四角筒等の多角筒状のものであってもよい。また、発光部のリングについても円形に限らず、多角形リングであっても良い。
【符号の説明】
【００２８】
１  火災感知器（実施の形態１）
３  取付面
４  本体部
５  筐体
５ａ  底部
５ｂ  筒状部
７  ベース（実施の形態１）
７ａ  底部
７ｂ  筒状部
７ｃ  フランジ部
９  回路基板
１１  発光素子
１３  ライトガイド
１３ａ  凹陥部
１３ｂ  傾斜面部
１５  カバー体
１７  サーミスタ
１９  火災感知器（実施の形態２）
２１  ベース（実施の形態２）
【図１】
0006681130.tif 000002
【図２】
0006681130.tif 000003
【図３】
0006681130.tif 000004
【図４】
0006681130.tif 000005
【図５】
0006681130.tif 000006
【図６】
0006681130.tif 000007